(57)【要約】【課題】  例えば、ピントの温度安定性、ならびに全ズーム域にわたる軸上色収差および倍率色収差の補正の点で有利なズームレンズを提供することを目的とする。【解決手段】  本発明のズームレンズは、物体側から像側へ順に、変倍のためには移動しない正の第１レンズ群と、変倍のために移動する１つまたは２つの負のサブレンズ群から構成される前移動レンズ群と、変倍のために移動する２つのサブレンズ群から構成される後移動レンズ群と、変倍のためには移動しない最終レンズ群と、からなり、前記最終レンズ群は、物体側から像側へ順に、負レンズＡｎを含む負の屈折力の負レンズ群と、正レンズＢｐを含む正の屈折力の正レンズ群とからなり、前記最終レンズ群の横倍率と、前記負レンズＡｎの屈折率の温度係数およびアッベ数と、前記正レンズＢｐの部分分散比およびアッベ数を適切に設定する。【選択図】  図１
2020085935.tif 000002
【特許請求の範囲】
【請求項１】
物体側から像側へ順に、変倍のためには移動しない正の第１レンズ群と、変倍のために移動する１つまたは２つの負のサブレンズ群から構成される前移動レンズ群と、変倍のために移動する２つのサブレンズ群から構成される後移動レンズ群と、変倍のためには移動しない最終レンズ群と、からなり、
前記最終レンズ群は、物体側から像側へ順に、負レンズＡｎを含む負の屈折力の負レンズ群と、正レンズＢｐを含む正の屈折力の正レンズ群とからなり、
前記最終レンズ群の横倍率をβＬとし、前記負レンズＡｎの屈折率の温度係数およびアッベ数をそれぞれｄＮｄＴＡｎおよびνｄＡｎとし、前記正レンズＢｐの部分分散比およびアッベ数をそれぞれθｇＦＢｐおよびνｄＢｐとして、条件式
０．８≦β≦３．０
−３．０≦ｄｎ／ｄＴＡｎ≦４．２
３０．０≦νｄＡｎ≦７０．２
０．０１≦０．００１６２×νｄＢｐ−０．６４１４＋θｇＦＢｐ≦０．０５
を満足することを特徴とするズームレンズ。
なお、屈折率の温度係数は、２０℃ないし４０℃の空気中における相対屈折率の温度係数とし、アッベ数νおよび部分分散比θは、フラウンフォーファ線のｇ線、Ｆ線、ｄ線、およびＣ線に対する屈折率をそれぞれＮｇ、ＮＦ、Ｎｄ、およびＮＣとして、それぞれ
ν＝（Ｎｄ−１）／（ＮＦ−ＮＣ）、および
θ＝（Ｎｇ−ＮＦ）／（ＮＦ−ＮＣ）
で表される。
【請求項２】
前記負レンズ群の焦点距離をｆＬＡとし、前記負レンズＡｎの焦点距離をｆＡｎとして、条件式
０．３≦ｆＡｎ／ｆＬＡ≦１．５
を満足することを特徴とする請求項１に記載のズームレンズ。
【請求項３】
前記負レンズ群は、少なくとも２枚の負レンズと１枚の正レンズＡｐとを有し、前記正レンズＡｐのアッベ数および部分分散比をそれぞれνｄＡｐおよびθｇＦＡｐとして、条件式
０≦０．００１６２×νｄＡｐ−０．６４１４＋θｇＦＡｐ≦０．０２
２２．８＜νｄＡｐ≦３５．０
を満足することを特徴とする請求項１または２に記載のズームレンズ。
【請求項４】
前記正レンズＡｐの屈折率の温度係数をｄＮｄＴＡｐとし、前記正レンズＡｐの焦点距離をｆＡｐとして、条件式
−１．５≦ｆＡｐ／ｆＬＡ≦−０．３
−１．０≦ｄｎ／ｄｎｄＴＡｐ≦６．０
を満足することを特徴とする請求項３に記載のズームレンズ。
【請求項５】
前記負レンズ群は、物体側から順に、負レンズ、前記正レンズＡｐ、および負レンズから構成され、光軸に対して垂直な方向に成分を有する移動量をもって像の安定化のために移動可能であることを特徴とする請求項１乃至４のうちいずれか１項に記載のズームレンズ。
【請求項６】
前記負レンズＡｎは、前記負レンズ群のなかで最も物体側に配置されていることを特徴とする請求項１乃至５のうちいずれか１項に記載のズームレンズ。
【請求項７】
前記正レンズ群の焦点距離をｆＬＢとし、前記正レンズＢｐの焦点距離およびアッベ数をそれぞれｆＢｐおよびνｄＢｐとして、条件式
１７．４≦νｄＢｐ≦３０．０
０．２≦ｆＢｐ／ｆＬＢ≦１．０
を満足することを特徴とする請求項１乃至６のうちいずれか１項に記載のズームレンズ。
【請求項８】
請求項１乃至７のうちいずれか１項に記載のズームレンズと。
前記ズームレンズの像面に配された撮像素子と、
を有することを特徴とする撮像装置。
【発明の詳細な説明】
【技術分野】
【０００１】
本発明は、ズームレンズ及び撮像装置に関するものである。
【背景技術】
【０００２】
近年、テレビカメラや映画用カメラ、写真用カメラ等の撮像装置には、広画角、高ズーム比かつ高い光学性能を有したズームレンズが要望されている。特に、プロフェッショナルの動画撮影システムとしてのテレビ、映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一で、色収差の少ないことが要求されている。
【０００３】
広画角、高ズーム比のズームレンズとして、最も物体側に正の屈折力のレンズ群を配置した５つのレンズ群より成るポジティブリード型の５群ズームレンズが知られている。たとえば、特許文献１では、変倍比１０６程度、広角端の半画角３４．５°程度のズームレンズが開示されている。また、特許文献２では変倍比１１０程度、広角端の半画角３２．０°程度のズームレンズが開示されている。
【０００４】
また、近年ではカメラの高精細化が進み、より高性能なレンズが求められるようになってきていることに加えて、焦点深度も浅くなってきている。そのため、環境温度が変化した際のピントずれを従来よりも高精度に補正することが必要となってきている。特に第１レンズ群でフォーカスを行うテレビカメラ用レンズでは、フォーカシングによるピント変化が小さい広角側においてピントずれを補正することが重要である。
【先行技術文献】
【特許文献】
【０００５】
【特許文献１】国際公開２０１４−７３１８６号
【特許文献２】特開２０１４−３８２３８号公報
【発明の概要】
【発明が解決しようとする課題】
【０００６】
前述したポジティブリード型の５群ズームレンズでは、ズーム全域での色収差の変化を少なくするために、第３レンズ群および、第４レンズ群に低分散かつ異常分散性の高い光学材料を使用している。これらの材料は表１に示すように屈折率の温度係数が負の値であるため、環境温度が変化した際のピントずれの原因となる。
【０００７】
広角側において環境温度が変化した際のピントずれを抑制するためには、変倍時固定の最終レンズ群の正レンズに屈折率の温度係数が正の材料を選択し、負レンズに屈折率の温度係数が負の材料を選択する必要がある。一方で軸上色収差と倍率収差を良好に補正するためにも、材料の選択が重要となってくる。
【０００８】
そこで本発明は、例えば、ピントの温度安定性、ならびに全ズーム域にわたる軸上色収差および倍率色収差の補正の点で有利なズームレンズを提供することを目的とする。
【課題を解決するための手段】
【０００９】
上記目的を達成するために、本発明のズームレンズは、物体側から像側へ順に、変倍のためには移動しない正の第１レンズ群と、変倍のために移動する１つまたは２つの負のサブレンズ群から構成される前移動レンズ群と、変倍のために移動する２つのサブレンズ群から構成される後移動レンズ群と、変倍のためには移動しない最終レンズ群と、からなり、前記最終レンズ群は、物体側から像側へ順に、負レンズＡｎを含む負の屈折力の負レンズ群と、正レンズＢｐを含む正の屈折力の正レンズ群とからなり、前記最終レンズ群の横倍率をβＬとし、前記負レンズＡｎの屈折率の温度係数およびアッベ数をそれぞれｄＮｄＴＡｎおよびνｄＡｎとし、前記正レンズＢｐの部分分散比およびアッベ数をそれぞれθｇＦＢｐおよびνｄＢｐとして、条件式
０．８≦β≦３．０
−３．０≦ｄｎ／ｄＴＡｎ≦４．２
３０．０≦νｄＡｎ≦７０．２
０．０１≦０．００１６２×νｄＢｐ−０．６４１４＋θｇＦＢｐ≦０．０５
を満足することを特徴とする
なお、屈折率の温度係数は、２０℃ないし４０℃の空気中における相対屈折率の温度係数とし、アッベ数νおよび部分分散比θは、フラウンフォーファ線のｇ線、Ｆ線、ｄ線、およびＣ線に対する屈折率をそれぞれＮｇ、ＮＦ、Ｎｄ、およびＮＣとして、それぞれ
ν＝（Ｎｄ−１）／（ＮＦ−ＮＣ）、および
θ＝（Ｎｇ−ＮＦ）／（ＮＦ−ＮＣ）
で表される。
【発明の効果】
【００１０】
本発明によれば、例えば、ピントの温度安定性、ならびに全ズーム域にわたる軸上色収差および倍率色収差の補正の点で有利なズームレンズを提供することができる。
【図面の簡単な説明】
【００１１】
【図１】数値実施例１の広角端において無限遠合焦時のレンズ断面図。
【図２】数値実施例１で無限遠合焦時の広角端（ａ）、ｆ＝１１８．６４ｍｍ（ｂ）、望遠端（ｃ）、エクステンダ挿入時の広角端（ｄ）の縦収差図。
【図３】数値実施例１で無限遠合焦時の望遠端（ａ）、望遠端（ｂ）で防振レンズ群が０．７ｍｍ光軸に対してシフトした際の横収差図。
【図４】数値実施例２の広角端において無限遠合焦時のレンズ断面図。
【図５】数値実施例２で無限遠合焦時の広角端（ａ）、ｆ＝７０．５２ｍｍ（ｂ）、望遠端（ｃ）の縦収差図。
【図６】数値実施例３の広角端において無限遠合焦時のレンズ断面図。
【図７】数値実施例３で無限遠合焦時の広角端（ａ）、ｆ＝９９．４０ｍｍ（ｂ）、望遠端（ｃ）の縦収差図。
【図８】数値実施例４の広角端において無限遠合焦時のレンズ断面図。
【図９】数値実施例４で無限遠合焦時の広角端（ａ）、ｆ＝６６．５７ｍｍ（ｂ）、望遠端（ｃ）の縦収差図。
【図１０】数値実施例５の広角端において無限遠合焦時のレンズ断面図。
【図１１】数値実施例５で無限遠合焦時の広角端（ａ）、ｆ＝１１８．６４ｍｍ（ｂ）、望遠端（ｃ）の縦収差図。
【図１２】数値実施例６の広角端において無限遠合焦時のレンズ断面図。
【図１３】数値実施例６で無限遠合焦時の広角端（ａ）、ｆ＝１００．００ｍｍ（ｂ）、望遠端（ｃ）の縦収差図。
【図１４】本発明の撮像装置の要部概略図。
【図１５】数値実施例１のズームレンズの広角端における第５レンズ群Ｌ５での軸上および軸外（ω＝３０．２°）における光路図。
【発明を実施するための形態】
【００１２】
以下に、本発明の好ましい実施の形態を、添付の図面に基づいて詳細に説明する。
本発明のズームレンズは、物体側から像側へ順に、変倍のためには移動しない正の第１レンズ群と、変倍のために移動する１つまたは２つの負のサブレンズ群から構成される前移動レンズ群と、変倍のために移動する２つのサブレンズ群から構成される後移動レンズ群と、変倍のためには移動しない最終レンズ群とから構成されている。
【００１３】
ここでレンズ群が変倍のためには移動しないというのは、レンズ群が変倍を行う目的で駆動されることは無いが、変倍とフォーカス調整とを同時に行う場合があれば、フォーカス調整のために移動することはあり得るということである。
【００１４】
図１５は後述する数値実施例１のズームレンズの広角端における最終レンズ群である第５レンズ群Ｌ５での軸上および軸外（ω＝３０．２°）における光路図を示している。図中、軸上光線高さがおおよそ一定であるのに対して、軸外主光線高さは像面に近いほど高い位置を通ることがわかる。すなわち、軸上色収差への寄与は第５群内でおおよそ一定であるのに対して、倍率色収差への寄与は第５群内の像面に近い位置で大きくなる。そのため、軸上色収差と倍率色収差を良好に補正するためには、第５群内の後側のレンズで倍率色収差を補正し、補正過剰となった軸上色収差を第５群内の前側のレンズで逆方向に補正することになる。すなわち第５群内で２次スペクトル補正も含めた色収差補正を行うためには、第５群内の後側の凸レンズには異常分散性の高い材料を用い、凹レンズには異常分散性の低い材料を用いる必要がある。しかしながら、前述したとおり異常分散性の高い材料は屈折率の温度係数が負もしくは、０近傍となる。加えて異常分散性の低い材料は表２に示すように、屈折率の温度係数が４を超える範囲に存在する。そのため、軸上色収差と倍率色収差を補正しながらも、温度変化によるピントずれを抑制することは困難となる。
【００１５】
そこで、本発明では広角側の温度変化によるピントずれを抑制しながらも、全ズーム域の軸上色収差及び、倍率色収差が良好に補正するために、第５レンズ群の近軸横倍率と第５レンズ群内の硝材を適切に設定している。
【００１６】
本発明のズームレンズは、物体側から像側へ順に、変倍のためには移動しない正の第１レンズ群と、変倍のために移動する１つまたは２つの負のサブレンズ群から構成される前移動レンズ群と、変倍のために移動する２つのサブレンズ群から構成される後移動レンズ群と、変倍のためには移動しない最終レンズ群とからなる。
【００１７】
最終レンズ群は物体側から像側へ順に、負レンズＡｎを含む負の屈折力の負レンズ群ＬＡ、正レンズＢｐを含む正の屈折力の正レンズ群ＬＢとからなる。最終レンズ群の横倍率をβＬとし、負レンズＡｎの屈折率の温度係数およびアッベ数をそれぞれｄＮｄＴＡｎ、νｄＡｎとし、正レンズＢｐの部分分散比およびアッベ数をそれぞれθｇＦＢｐ、νｄＢｐとして、条件式
０．８≦βＬ≦３．０  ・・・（１）
−３．０≦ｄｎ／ｄＴＡｎ≦４．２  ・・・（２）
３０．０≦νｄＡｎ≦７０．２  ・・・（３）
０．０１≦０．００１６２×νｄＢｐ−０．６４１４＋θｇＦＢｐ≦０．０５
・・・（４）
を満たしている。なお、屈折率の温度係数は２０℃〜４０℃の空気中における相対屈折率の温度係数であり、アッベ数νおよび部分分散比θは、フラウンフォーファ線のｇ線、Ｆ線、ｄ線、Ｃ線に対する屈折率をそれぞれＮｇ、ＮＦ、Ｎｄ、ＮＣとして、それぞれ
ν＝（Ｎｄ−１）／（ＮＦ−ＮＣ）
θ＝（Ｎｇ−ＮＦ）／（ＮＦ−ＮＣ）
で表される。
【００１８】
条件式（１）は最終レンズ群の横倍率を規定している。これにより最終レンズ群よりも物体側の温度変化によるピントずれへの寄与を適切にすることで、温度変化によるピントずれの抑制が可能となる。
【００１９】
条件式（１）の上限を超えると、最終群の拡大率が小さくなることで、ズームレンズの広角化と小型化の両立が困難となる。条件式（１）の下限を超えると、最終群より物体側の温度変化によるピントずれへの寄与が大きくなりすぎることで、温度変化によるピントずれの抑制が困難となる。更に好ましくは条件式（１）を次のように設定するのが良い。
０．８３≦βＬ≦２．８  ・・・（１ａ）
【００２０】
条件式（２）から条件式（４）は最終レンズ群内の硝材特性について規定している。これにより軸上色収差及び、倍率色収差が良好に補正しながらも温度変化によるピントずれの抑制が可能となる。
【００２１】
条件式（２）の上限を超えると、負レンズによる温度変化によるピントずれの補正効果が少なくなってしまう。条件式（２）の下限を超えると、前述したとおり、異常分散性の高い材料を使用することとなるため、軸上色収差の補正不足となってしまう。更に好ましくは条件式（２）を次のように設定するのが良い。
０．１≦ｄｎ／ｄＴＡｎ≦２．１  ・・・（２ａ）
【００２２】
条件式（３）の上下限を超えると、軸上色収差と倍率色収差の両立が困難となる。更に好ましくは条件式（３）を次のように設定するのが良い。
３５．０≦νｄＡｎ≦５５．０  ・・・（３ａ）
【００２３】
条件式（４）の下限を超えると、倍率色収差の補正が困難となる。更に好ましくは条件式（４）を次のように設定するのが良い。
０．０２≦０．００１６２×νｄＢｐ−０．６４１４＋θｇＦＢｐ≦０．０４
・・・（４ａ）
【００２４】
さらに本発明において、負レンズ群ＬＡの焦点距離をｆＬＡ、負レンズＡｎの焦点距離をｆＡｎとして、条件式
０．３≦ｆＡｎ／ｆＬＡ≦１．５  ・・・（５）
を満足することが好ましい。
【００２５】
条件式（５）の上限を超えると、負レンズＡｎの屈折力が弱くなりすぎ、温度変化によるピント補正効果を得ることが困難となる。条件式（５）の下限を超えると、負レンズＡｎの屈折力が強くなりすぎ、諸収差の補正が困難となる。更に好ましくは条件式（５）を次のように設定するのが良い。
０．４≦ｆＡｎ／ｆＬＡ≦１．０  ・・・（５ａ）
【００２６】
さらに本発明において、負レンズ群ＬＡは少なくとも２枚の負レンズと１枚の正レンズＡｐを有し、正レンズＡｐのアッベ数をνｄＡｐ、部分分散比をθｇＦＡｐとして、条件式
０≦０．００１６２×νｄＡｐ−０．６４１４＋θｇＦＡｐ≦０．０２
・・・（６）
２２．８＜νｄＡｐ≦３５．０  ・・・（７）
を満足することが好ましい。
【００２７】
条件式（６）、（７）上下限が満たされないと、軸上色収差が補正過剰もしくは補正不足となってしまう。もしくは、色消しを行う際の各レンズの屈折力が強くなりすぎてしまい、諸収差の補正が困難となってしまう。更に好ましくは条件式（６）、（７）を次のように設定するのが良い。
０．００２≦０．００１６２×νｄＡｐ−０．６４１４＋θｇＦＡｐ≦０．０１３
・・・（６ａ）
２４．０≦νｄＡｐ≦３１．０  ・・・（７ａ）
【００２８】
さらに本発明において、正レンズＡｐの屈折率の温度係数をｄＮｄＴＡｐとし、正レンズＡｐの焦点距離をｆＡｐとして、条件式
−１．５≦ｆＡｐ／ｆＬＡ≦−０．３  ・・・（８）
−１．０≦ｄｎ／ｄｎｄＴＡｐ≦６．０  ・・・（９）
を満足することが好ましい。
【００２９】
条件式（８）、（９）上下限が満たされないと、温度変化によるピント変化の抑制が困難となってしまう。更に好ましくは条件式（８）、（９）を次のように設定するのが良い。
−１．１≦ｆＡｐ／ｆＬＡ≦−０．３  ・・・（８ａ）
３．０≦ｄｎ／ｄｎｄＴＡｐ≦５．５  ・・・（９ａ）
【００３０】
さらに本発明において、正レンズ群ＬＢの焦点距離をｆＬＢとし、正レンズＢｐの焦点距離をｆＢｐとし、アッベ数をνｄＢｐとして、条件式
１７．４≦νｄＢｐ≦３０．０  ・・・（１０）
０．２≦ｆＢｐ／ｆＬＢ≦１．０  ・・・（１１）
を満足することが好ましい。
【００３１】
条件式（１０）、（１１）上下限が満たされないと、倍率収差の補正が困難となる。更に好ましくは条件式（１０）、（１１）を次のように設定するのが良い。
１７．４≦νｄＢｐ≦２５．５  ・・・（１０ａ）
０．２５≦ｆＢｐ／ｆＬＢ≦０．８  ・・・（１１ａ）
【００３２】
以下に本発明の各実施例のズームレンズのレンズ構成の特徴について説明する。
【実施例１】
【００３３】
本発明の実施例１のズームレンズは、物体側から順に、変倍のためには移動しない正の屈折力の第１レンズ群Ｌ１と、変倍のために移動する負の屈折力の第２レンズ群Ｌ２と、変倍のために移動する正の屈折力の第３レンズ群Ｌ３と、変倍のために移動する正の屈折力の第４レンズ群Ｌ４と、変倍のためには移動しない結像作用を有する正の屈折力の第５レンズ群Ｌ５と、から構成される。各レンズ断面図において、左方が被写体（物体）側（前方）で右方が像側（後方）を示す。
【００３４】
第１レンズ群Ｌ１は、フォーカスレンズ群Ｌ１２、フォーカスのためには移動しない固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２、第３レンズ群Ｌ３、第４レンズ群Ｌ４の各々のレンズ間隔を変化させながら光軸上を移動することで、ズームとズームに伴う像面変動の補正を行っている。これら３つのレンズ群（第２レンズ群Ｌ２、第３レンズ群Ｌ３、第４レンズ群Ｌ４）でズーム系（変倍系）を構成している。
【００３５】
図１に、本発明の実施例１（数値実施例１）のズームレンズの広角端で無限遠物体に合焦しているときのレンズ断面図を示す。レンズ断面図においては、第４レンズ群Ｌ４の像側に、物体側から順に、絞り（開口絞り）ＳＰ、ガラスブロックＰとして示された色分解プリズムや光学フィルタ等、撮像面Ｉを示す。撮像面Ｉは、ズームレンズで形成された像を受光し、光電変換する固体撮像素子（光電変換素子）等の撮像面に相当する。また、第３レンズ群内に第３レンズ群と一体で移動するフレアカット絞りＦＣを配することで、広角端からズーム中間での不要光を切っている。これは他の実施例についても同様である。
【００３６】
実施例１のズームレンズにおいて、第１レンズ群Ｌ１は第１レンズ面〜第１２レンズ面に対応する。第２レンズ群Ｌ２は第１３レンズ面〜第１９レンズ面に対応する。第３レンズ群Ｌ３は第２０レンズ面〜第２６レンズ面に対応する。第４レンズ群Ｌ４は第２７レンズ面〜第３１レンズ面に対応する。第５レンズ群Ｌ５は第３２レンズ面〜第５３レンズ面に対応する。ＬＡ群は第３３面〜第３８面に対応し、ＬＢ群は第３９面〜第５３面に対応する。負レンズＡｎは第３３面と第３４面で構成され、正レンズＡｐは第３５面と第３６で構成され、正レンズＢｐは第４７面と第４８で構成される。
【００３７】
また、第３３面〜第３８面は防振のために光軸と垂直方向に成分を有する移動量をもって像の安定化のために移動可能である。さらに、第３９面〜第４３面がエクステンダ挿入時に光軸外へ退避し、第３９Ｅｘ面〜第４８Ｅｘ面が挿入されることで、全系の焦点距離を長焦点距離側へ変位させることが可能である。
第１３レンズ面、第２２レンズ面、第３１レンズ面は非球面形状である。
【００３８】
図２は数値実施例１の、無限遠合焦時の広角端（ａ）、ｆ＝１１８．６４ｍｍ（ｂ）、望遠端（ｃ）、エクステンダ挿入時の広角端（ｄ）の縦収差図である。また、図３は数値実施例１で無限遠合焦時の望遠端（ａ）、望遠端（ｂ）で防振レンズ群が０．７ｍｍ光軸に対してシフトした際の横収差図である。
【００３９】
但し、焦点距離は数値実施例の値をｍｍ単位で表したときの値である。これは以下の各実施例において全て同じである。各収差図において、球面収差における直線と二点鎖線と一点鎖線と点線は各々ｅ線、g線、Ｃ線、Ｆ線である。非点収差における点線と実線は各々メリディオナル像面，サジタル像面であり、倍率色収差における二点鎖線と一点鎖線と点線は各々g線、Ｃ線、Ｆ線である。ωは半画角、ＦｎｏはＦナンバーである。縦収差図では、球面収差は０．２ｍｍ、非点収差は０．２ｍｍ、歪曲は５％、倍率色収差は０．０５ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【００４０】
表３は数値実施例１の無限遠合焦時の広角端において、温度が１℃変化した際のピント変化量を示している。また、表４はエクステンダ挿入時の無限遠合焦時の広角端において温度が１℃変化した際のピント変化量を示している。
【００４１】
以下に実施例１に対する数値データを数値実施例１として示す。数値実施例において、
ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の面と第ｉ＋１番目の面との間の光学部材の屈折率とアッベ数である。非球面は面番号の横に＊印を付けている。最後の３つの面はフィルタ等のガラスブロックである。
【００４２】
非球面形状は光軸方向にＸ軸、光軸と垂直方向にＨ軸、光の進行方向を正とし、Ｒを近軸曲率半径、ｋを円錐常数、Ａ４、Ａ５、Ａ６、Ａ７、Ａ８、Ａ９、Ａ１０、Ａ１１、Ａ１２、Ａ１３、Ａ１４、Ａ１５、Ａ１６をそれぞれ非球面係数としたとき、次式で表している。また、「ｅ−Ｚ」は「×１０−Ｚ」を意味する。なお、以下の数値実施例においても同様の記載をする。
【数１】
2020085935.tif 000003
【００４３】
本実施例の各条件式対応値を表１０に示す。本実施例は（１）〜（１１）式を満足しており、広角側の温度変化によるピントずれを抑制しながらも、全ズーム域の軸上色収差及び、倍率色収差が良好に補正されたズームレンズを達成している。本発明のズームレンズは、（１）〜（４）式を満足することは必須であるが、（５）〜（１１）式については満足していなくても構わない。但し、（５）〜（１１）式について少なくとも１つでも満足していれば更に良い効果を奏することができる。これは他の実施例についても同様である。
【００４４】
図１４は各実施例のズームレンズを撮影光学系として用いた撮像装置（テレビカメラシステム）の概略図である。図１４において１０１は実施例１〜５のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群、第３レンズ群、変倍に伴う像面変動を補正するために光軸上を移動する第４レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００４５】
このように、本発明のズームレンズをテレビカメラに適用することにより、高い光学性能を有する撮像装置を実現している。
【実施例２】
【００４６】
本発明の実施例２のズームレンズは、物体側から順に、変倍のためには不動の正の屈折力の第１レンズ群Ｌ１、変倍に際して移動する負の屈折力の第２レンズ群Ｌ２、変倍に際して移動する正の屈折力の第３レンズ群Ｌ３、変倍に際して移動する正の屈折力の第４レンズ群Ｌ４、変倍のためには不動の結像作用を有する正の屈折力の第５レンズ群Ｌ５から構成される。各レンズ断面図において、左方が被写体（物体）側（前方）で右方が像側（後方）を示す。
【００４７】
第１レンズ群Ｌ１は、フォーカスレンズ群Ｌ１２、フォーカスのためには不動の固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２、第３レンズ群Ｌ３、第４レンズ群Ｌ４の各々のレンズ間隔を変化させながら光軸上を移動することで、ズームとズームに伴う像面変動の補正を行っている。これら３つのレンズ群（第２レンズ群Ｌ２、第３レンズ群Ｌ３、第４レンズ群Ｌ４）でズーム系（変倍群）を構成している。
【００４８】
図４に、本発明の実施例２（数値実施例２）のズームレンズの広角端で無限遠物体に合焦しているときのレンズ断面図を示す。
【００４９】
実施例２のズームレンズにおいて、第１レンズ群Ｌ１は第１レンズ面〜第１２レンズ面に対応する。第２レンズ群Ｌ２は第１３レンズ面〜第１９レンズ面に対応する。第３レンズ群Ｌ３は第２０レンズ面〜第２５レンズ面に対応する。第４レンズ群Ｌ４は第２６レンズ面〜第３０レンズ面に対応する。第５レンズ群Ｌ５は第３１レンズ面〜第５３レンズ面に対応する。ＬＡ群は第３２面〜第３７面に対応し、ＬＢ群は第３８面〜第５３面に対応する。負レンズＡｎは第３２面と第３３面で構成され、正レンズＡｐは第３４面と第３５で構成され、正レンズＢｐは第４７面と第４８で構成される。
第１３レンズ面、第２１レンズ面、第３０レンズ面は非球面形状である。
【００５０】
図５は数値実施例２の、無限遠合焦時の広角端（ａ）、ｆ＝７０．５２ｍｍ（ｂ）、望遠端（ｃ）の縦収差図である。
縦収差図では、球面収差は０．２ｍｍ、非点収差は０．２ｍｍ、歪曲は５％、倍率色収差は０．０５ｍｍのスケールで描かれている。
【００５１】
表５は数値実施例２の無限遠合焦時の広角端において、温度が１℃変化した際のピント変化量を示している。
【００５２】
本実施例の各条件式対応値を表１０に示す。本実施例は（１）〜（１１）式を満足しており、広角側の温度変化によるピントずれを抑制しながらも、全ズーム域の軸上色収差及び、倍率色収差が良好に補正されたズームレンズを達成している。
【実施例３】
【００５３】
本発明の実施例３のズームレンズは、物体側から順に、変倍のためには不動の正の屈折力の第１レンズ群Ｌ１、変倍に際して移動する負の屈折力の第２レンズ群Ｌ２、変倍に際して移動する正の屈折力の第３レンズ群Ｌ３、変倍に際して移動する正の屈折力の第４レンズ群Ｌ４、変倍のためには不動の結像作用を有する正の屈折力の第５レンズ群Ｌ５から構成される。各レンズ断面図において、左方が被写体（物体）側（前方）で右方が像側（後方）を示す。
【００５４】
第１レンズ群Ｌ１は、フォーカスレンズ群Ｌ１２、フォーカスのためには不動の固定レンズ群Ｌ１１、Ｌ１３を含む。フォーカスレンズ群Ｌ１２は、無限遠物体から近距離物体へのフォーカスに際して像側へ移動する。本実施例のズームレンズは、第２レンズ群Ｌ２、第３レンズ群Ｌ３、第４レンズ群Ｌ４の各々のレンズ間隔を変化させながら光軸上を移動することで、ズームとズームに伴う像面変動の補正を行っている。これら３つのレンズ群（第２レンズ群Ｌ２、第３レンズ群Ｌ３、第４レンズ群Ｌ４）でズーム系（変倍群）を構成している。
【００５５】
図６に、本発明の実施例３（数値実施例３）のズームレンズの広角端で無限遠物体に合焦しているときのレンズ断面図を示す。
【００５６】
実施例３のズームレンズにおいて、第１レンズ群Ｌ１は第１レンズ面〜第１９レンズ面に対応する。第２レンズ群Ｌ２は第２０レンズ面〜第２６レンズ面に対応する。第３レンズ群Ｌ３は第２７レンズ面〜第３４レンズ面に対応する。第４レンズ群Ｌ４は第３５レンズ面〜第３８レンズ面に対応する。第５レンズ群Ｌ５は第３９レンズ面〜第６０レンズ面に対応する。ＬＡ群は第４０面〜第４４面に対応し、ＬＢ群は第４５面〜第６０面に対応する。負レンズＡｎは第４０面と第４１面で構成され、正レンズＡｐは第４２面と第４３で構成され、正レンズＢｐは第５４面と第５５で構成される。
第２０レンズ面、第２９レンズ面、第３７レンズ面は非球面形状である。
【００５７】
図７は数値実施例３の、無限遠合焦時の広角端（ａ）、ｆ＝９９．４０ｍｍ（ｂ）、望遠端（ｃ）の縦収差図である。
縦収差図では、球面収差は０．２ｍｍ、非点収差は０．２ｍｍ、歪曲は５％、倍率色収差は０．０５ｍｍのスケールで描かれている。
【００５８】
表６は数値実施例３の無限遠合焦時の広角端において、温度が１℃変化した際のピント変化量を示している。
本実施例の各条件式対応値を表１０に示す。本実施例は（１）〜（１１）式を満足しており、広角側の温度変化によるピントずれを抑制しながらも、全ズーム域の軸上色収差及び、倍率色収差が良好に補正されたズームレンズを達成している。
【実施例４】
【００５９】
本発明の実施例４のズームレンズは、物体側から順に、変倍のためには不動の正の屈折力の第１レンズ群Ｌ１、変倍に際して移動する負の屈折力の第２レンズ群Ｌ２、変倍に際して移動する正の屈折力の第３レンズ群Ｌ３、変倍に際して移動する正の屈折力の第４レンズ群Ｌ４、変倍のためには不動の結像作用を有する正の屈折力の第５レンズ群Ｌ５から構成される。各レンズ断面図において、左方が被写体（物体）側（前方）で右方が像側（後方）を示す。
【００６０】
第１レンズ群Ｌ１は、フォーカスレンズ群Ｌ１２、フォーカスのためには不動の固定レンズ群Ｌ１１、Ｌ１３を含む。フォーカスレンズ群Ｌ１２は、無限遠物体から近距離物体へのフォーカスに際して像側へ移動する。本実施例のズームレンズは、第２レンズ群Ｌ２、第３レンズ群Ｌ３、第４レンズ群Ｌ４の各々のレンズ間隔を変化させながら光軸上を移動することで、ズームとズームに伴う像面変動の補正を行っている。これら３つのレンズ群（第２レンズ群Ｌ２、第３レンズ群Ｌ３、第４レンズ群Ｌ４）でズーム系（変倍群）を構成している。
【００６１】
図８に、本発明の実施例４（数値実施例４）のズームレンズの広角端で無限遠物体に合焦しているときのレンズ断面図を示す。
【００６２】
実施例４のズームレンズにおいて、第１レンズ群Ｌ１は第１レンズ面〜第１９レンズ面に対応する。第２レンズ群Ｌ２は第２０レンズ面〜第２６レンズ面に対応する。第３レンズ群Ｌ３は第２７レンズ面〜第３３レンズ面に対応する。第４レンズ群Ｌ４は第３４レンズ面〜第３７レンズ面に対応する。第５レンズ群Ｌ５は第３８レンズ面〜第５９レンズ面に対応する。ＬＡ群は第３９面〜第４３面に対応し、ＬＢ群は第４４面〜第５９面に対応する。負レンズＡｎは第３９面と第４０面で構成され、正レンズＡｐは第４１面と第４２で構成され、正レンズＢｐは第５３面と第５４で構成される。
第２０レンズ面、第２８レンズ面、第３６レンズ面は非球面形状である。
【００６３】
図９は数値実施例４の、無限遠合焦時の広角端（ａ）、ｆ＝６６．５７ｍｍ（ｂ）、望遠端（ｃ）の縦収差図である。
縦収差図では、球面収差は０．２ｍｍ、非点収差は０．２ｍｍ、歪曲は５％、倍率色収差は０．０５ｍｍのスケールで描かれている。
【００６４】
表７は数値実施例４の無限遠合焦時の広角端において、温度が１℃変化した際のピント変化量を示している。
本実施例の各条件式対応値を表１０に示す。本実施例は（１）〜（１１）式を満足しており、広角側の温度変化によるピントずれを抑制しながらも、全ズーム域の軸上色収差及び、倍率色収差が良好に補正されたズームレンズを達成している。
【実施例５】
【００６５】
本発明の実施例５のズームレンズは、物体側から順に、変倍のためには不動の正の屈折力の第１レンズ群Ｌ１、変倍に際して移動する負の屈折力の第２レンズ群Ｌ２、変倍に際して移動する正の屈折力の第３レンズ群Ｌ３、変倍に際して移動する正の屈折力の第４レンズ群Ｌ４、変倍のためには不動の結像作用を有する正の屈折力の第５レンズ群Ｌ５から構成される。各レンズ断面図において、左方が被写体（物体）側（前方）で右方が像側（後方）を示す。
【００６６】
第１レンズ群Ｌ１は、フォーカスレンズ群Ｌ１２、フォーカスのためには不動の固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２、第３レンズ群Ｌ３、第４レンズ群Ｌ４の各々のレンズ間隔を変化させながら光軸上を移動することで、ズームとズームに伴う像面変動の補正を行っている。これら３つのレンズ群（第２レンズ群Ｌ２、第３レンズ群Ｌ３、第４レンズ群Ｌ４）でズーム系（変倍群）を構成している。
【００６７】
図１０に、本発明の実施例５（数値実施例５）のズームレンズの広角端で無限遠物体に合焦しているときのレンズ断面図を示す。
【００６８】
実施例５のズームレンズにおいて、第１レンズ群Ｌ１は第１レンズ面〜第１２レンズ面に対応する。第２レンズ群Ｌ２は第１３レンズ面〜第１９レンズ面に対応する。第３レンズ群Ｌ３は第２０レンズ面〜第２６レンズ面に対応する。第４レンズ群Ｌ４は第２７レンズ面〜第３１レンズ面に対応する。第５レンズ群Ｌ５は第３２レンズ面〜第５３レンズ面に対応する。ＬＡ群は第３３面〜第３８面に対応し、ＬＢ群は第３９面〜第５３面に対応する。負レンズＡｎは第３３面と第３４面で構成され、正レンズＡｐは第３５面と第３６で構成され、正レンズＢｐは第４７面と第４８で構成される。
第１３レンズ面、第２２レンズ面、第３１レンズ面は非球面形状である。
【００６９】
図１１は数値実施例５の、無限遠合焦時の広角端（ａ）、ｆ＝１１８．６４ｍｍ（ｂ）、望遠端（ｃ）の縦収差図である。
縦収差図では、球面収差は０．４ｍｍ、非点収差は０．４ｍｍ、歪曲は５％、倍率色収差は０．１ｍｍのスケールで描かれている。
【００７０】
表８は数値実施例５の無限遠合焦時の広角端において、温度が１℃変化した際のピント変化量を示している。
本実施例の各条件式対応値を表１０に示す。本実施例は（１）〜（１１）式を満足しており、広角側の温度変化によるピントずれを抑制しながらも、全ズーム域の軸上色収差及び、倍率色収差が良好に補正されたズームレンズを達成している。
【実施例６】
【００７１】
本発明の実施例６のズームレンズは、物体側から順に、変倍のためには不動の正の屈折力の第１レンズ群Ｌ１、変倍に際して移動する負の屈折力の第２レンズ群Ｌ２、変倍に際して移動する負の屈折力の第３レンズ群Ｌ３、変倍に際して移動する正の屈折力の第４レンズ群Ｌ４、変倍に際して移動する正の屈折力の第５レンズ群Ｌ５、変倍のためには不動の結像作用を有する正の屈折力の第６レンズ群Ｌ６から構成される。各レンズ断面図において、左方が被写体（物体）側（前方）で右方が像側（後方）を示す。
【００７２】
第１レンズ群Ｌ１は、フォーカスレンズ群Ｌ１２、フォーカスのためには不動の固定レンズ群Ｌ１１を含む。フォーカスレンズ群Ｌ１２は、無限遠物体から近距離物体へのフォーカスに際して物体側へ移動する。本実施例のズームレンズは、第２レンズ群Ｌ２、第３レンズ群Ｌ３、第４レンズ群Ｌ４、第５レンズ群Ｌ５の各々のレンズ間隔を変化させながら光軸上を移動することで、ズームとズームに伴う像面変動の補正を行っている。これら４つのレンズ群（第２レンズ群Ｌ２、第３レンズ群Ｌ３、第４レンズ群Ｌ４、第５レンズ群Ｌ５）でズーム系（変倍群）を構成している。
【００７３】
図１２に、本発明の実施例６（数値実施例６）のズームレンズの広角端で無限遠物体に合焦しているときのレンズ断面図を示す。
【００７４】
実施例６のズームレンズにおいて、第１レンズ群Ｌ１は第１レンズ面〜第１０レンズ面に対応する。第２レンズ群Ｌ２は第１１レンズ面〜第１５レンズ面に対応する。第３レンズ群Ｌ３は第１６レンズ面〜第１７レンズ面に対応する。第４レンズ群Ｌ４は第１８レンズ面〜第２３レンズ面に対応する。第５レンズ群Ｌ５は第２４レンズ面〜第２８レンズ面に対応する。第６レンズ群Ｌ６は第３０レンズ面〜第５１レンズ面に対応する。ＬＡ群は第３０面〜第３５面に対応し、ＬＢ群は第３６面〜第５１面に対応する。負レンズＡｎは第３０面と第３１面で構成され、正レンズＡｐは第３２面と第３３で構成され、正レンズＢｐは第４５面と第４６で構成される。
第１１レンズ面、第１７レンズ面、第１９レンズ面、第２７レンズ面は非球面形状である。
【００７５】
図１３は数値実施例６の、無限遠合焦時の広角端（ａ）、ｆ＝１００．００ｍｍ（ｂ）、望遠端（ｃ）の縦収差図である。
縦収差図では、球面収差は０．２ｍｍ、非点収差は０．２ｍｍ、歪曲は５％、倍率色収差は０．０５ｍｍのスケールで描かれている。
【００７６】
表９は数値実施例６の無限遠合焦時の広角端において、温度が１℃変化した際のピント変化量を示している。
本実施例の各条件式対応値を表１０に示す。本実施例は（１）〜（１１）式を満足しており、広角側の温度変化によるピントずれを抑制しながらも、全ズーム域の軸上色収差及び、倍率色収差が良好に補正されたズームレンズを達成している。
【００７７】
このように、本発明のズームレンズをテレビカメラに適用することにより、高い光学性能を有しながら、環境温度の変化に対するピントずれが高精度に補正された撮像装置を実現している。
【００７８】
以上、本発明の好ましい実施形態について説明したが、本発明はこれらの実施形態に限定されず、その要旨の範囲内で種々の変形及び変更が可能である。
【００７９】
＜数値実施例１＞
単位 mm
面番号      r         d        nd        vd       θgF     dn/dT
1    -2942.18811   6.00000  1.834810   42.74    0.5648      5.3
2      335.45859   1.80000
3      335.06633  23.70767  1.433870   95.10    0.5373    -10.1
4    -1057.92901   0.20000
5      525.29863  14.68252  1.433870   95.10    0.5373    -10.1
6    -2449.90453  25.25075
7      377.04224  20.53079  1.433870   95.10    0.5373    -10.1
8    -1365.49684   0.25000
9      306.95406  16.15620  1.433870   95.10    0.5373    -10.1
10     1716.23164   1.49946
11      188.24393  16.19337  1.438750   94.66    0.5340      6.2
12      408.07756    (可変)
13*    -532.82374   2.20000  2.003300   28.27    0.5980     10.1
14       38.13165  11.72245
15      -44.54614   1.45000  1.743198   49.34    0.5531      6.6
16       72.56546   9.77415  1.892860   20.36    0.6393      1.9
17      -46.48441   1.62858
18      -41.75805   2.00000  1.882997   40.76    0.5667      5.2
19     -152.60813    (可変)
20  (フレアカット) 30.00000
21      152.33559  11.49260  1.729157   54.68    0.5444      4.1
22*    -265.71450   6.61910
23      139.88768  13.50202  1.438750   94.66    0.5340     -6.2
24     -246.30392   0.49825
25      264.09410   2.60000  1.854780   24.80    0.6122      4.9
26       97.10593    (可変)
27       86.50601  15.38886  1.496999   81.54    0.5375     -6.1
28     -236.96933   0.50000
29      415.87662   2.50000  1.805181   25.42    0.6161      1.8
30      139.36202   7.84908  1.603112   60.64    0.5415      3.2
31*    -764.20052    (可変)
32       (絞り)     4.83283
33     -137.48989   1.40000  1.717004   47.92    0.5605      0.1
34       46.21721   0.44374
35       33.66049   4.52269  1.854780   24.80    0.6122      4.9
36       98.88257   3.01799
37     -252.81608   1.40000  1.891900   37.13    0.5780      5.6
38       78.97573  20.12699
39   -19240.92792   4.33387  1.487490   70.23    0.5300     -0.7
40      -38.41948   1.18634
41      -53.79231   1.60000  1.882997   40.76    0.5667      5.2
42       19.83504   9.34390  1.639799   34.46    0.5922      2.8
43      -49.11662  17.12285
44     -127.14477   7.14294  1.516330   64.14    0.5353      2.8
45      -26.14091   1.02057
46      -84.74111   1.80000  2.001000   29.13    0.5997      5.0
47       19.84757  12.37254  1.808095   22.76    0.6307      0.4
48      -78.29937   0.19910
49      804.51016   8.60002  1.548141   45.79    0.5686      2.0
50      -22.37499   1.80000  1.854780   24.80    0.6122      4.9
51      -80.59245  11.61779
52      -58.20663   8.07646  1.487490   70.23    0.5300     -0.7
53      -27.77017   9.49978
54          ∞     63.04000  1.608590   46.44    0.5664      2.0
55          ∞      8.70000  1.516330   64.15    0.5352      3.0
56          ∞     11.00000
像面
非球面データ
第13面
K = 1.99852e+000  A 4= 1.15677e-006  A 6=-2.75064e-008  A 8=-3.06848e-010  A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  A11=-8.52506e-014  A13=-6.85632e-017  A15=-3.84859e-020  
第22面
K = 1.21093e+001  A 4= 2.82183e-007  A 6=-5.59441e-011  A 8=-2.00796e-014  A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  A11= 5.86871e-020  A13= 1.04584e-022  A15= 1.44467e-025  
第31面
K =-2.23400e+002  A 4= 2.77687e-007  A 6= 4.69555e-010  A 8= 1.39733e-013  A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  A11=-8.14405e-018  A13= 2.06016e-021  A15=-8.57551e-025  
【００８０】
各種データ
ズーム比     56.00 
広角     中間     望遠
焦点距離      14.30   118.64   800.80  
Fナンバー      2.95     2.95     4.28  
画角          32.90     4.46     0.66  
像高           9.25     9.25     9.25  
レンズ全長   730.20   730.20   730.20  
BF            11.00    11.00    11.00  
d12            3.47   140.71   188.97  
d19          259.33    80.94     9.68  
d26            4.21    15.98     6.78  
d31            2.99    32.37    64.58  
d56           11.00    11.00    11.00  
エクステンダ部
面番号      r         d        nd        vd       θgF     dn/dT
38       78.97573   7.65521
39Ex     22.65484   7.83222   1.438750   94.66    0.5340    -6.2
40Ex    -77.99915   0.62769
41Ex     55.95873   5.04320   1.761821   26.52    0.6136     2.4
42Ex    -31.40411   0.92000   2.050900   26.94    0.6054     5.4
43Ex     23.19638   2.69003
44Ex     67.41261   0.90000   1.882997   40.76    0.5667     5.2
45Ex     14.96828   6.40169   1.784723   25.68    0.6161     2.1
46Ex    -68.68675   3.40456
47Ex   -142.00060   0.80000   1.834810   42.74    0.5648     5.3
48Ex     69.66418  17.43936
エクステンダ挿脱時各種データ
広角     中間     望遠
焦点距離      21.45   177.96  1201.20  
Fナンバー      4.42     4.43     6.42  
画角          23.33     2.98     0.44  
像高           9.25     9.25     9.25  
レンズ全長   730.20   730.20   730.20  
BF            11.00    11.00    11.00  
【００８１】
＜数値実施例２＞
単位 mm
面データ
面番号      r         d        nd        vd       θgF     dn/dT
1    -2942.18811   6.00000  1.834810   42.74    0.5648      5.3
2      335.45859   1.80000
3      335.06633  23.70767  1.433870   95.10    0.5373    -10.1
4    -1057.92901   0.20000
5      525.29863  14.68252  1.433870   95.10    0.5373    -10.1
6    -2449.90453  25.25075
7      377.04224  20.53079  1.433870   95.10    0.5373    -10.1
8    -1365.49684   0.25000
9      306.95406  16.15620  1.433870   95.10    0.5373    -10.1
10     1716.23164   1.49946
11      188.24393  16.19337  1.438750   94.66    0.5340     -6.2
12      408.07756    (可変)
13*    -532.82374   2.20000  2.003300   28.27    0.5980     10.1
14       38.13165  11.72245
15      -44.54614   1.45000  1.743198   49.34    0.5531      6.6
16       72.56546   9.77415  1.892860   20.36    0.6393      1.9
17      -46.48441   1.62858
18      -41.75805   2.00000  1.882997   40.76    0.5667      5.2
19     -152.60813    (可変)
20      152.33559  11.49260  1.729157   54.68    0.5444      4.1
21*    -265.71450   6.61910
22      139.88768  13.50202  1.438750   94.66    0.5340     -6.2
23     -246.30392   0.49825
24      264.09410   2.60000  1.854780   24.80    0.6122      4.9
25       97.10593    (可変)
26       86.50601  15.38886  1.496999   81.54    0.5375     -6.1
27     -236.96933   0.50000
28      415.87662   2.50000  1.805181   25.42    0.6161      1.8
29      139.36202   7.84908  1.603112   60.64    0.5415      3.2
30*    -764.20052    (可変)
31        (絞り)    5.24695
32     -117.24536   1.40000  1.762001   40.10    0.5765      4.0
33       41.72602   1.01137
34       36.11425   3.72703  1.854780   24.80    0.6122      4.9
35       81.40337   4.03279
36      -97.33562   1.70000  1.882997   40.76    0.5667      5.2
37     -206.67487   8.29194
38     -439.64699   1.50000  1.870700   40.73    0.5686      4.3
39       22.79520   7.14334  1.846660   23.87    0.6205      2.0
40     -277.85528   4.26902
41      -32.77439   1.50000  1.953750   32.32    0.5898      5.4
42      291.67966   7.83297  1.516330   64.14    0.5353      2.8
43      -26.75093  10.83649
44     2012.14987   4.62756  1.516330   64.14    0.5353      2.8
45      -58.46920   1.39998
46     -144.22960   1.50000  2.001000   29.13    0.5997      5.0
47       30.17606   9.22964  1.805181   25.42    0.6161      1.8
48      -72.85310   0.20000
49      103.12277   7.78391  1.438750   94.66    0.5340     -6.2
50      -35.13592   1.50000  2.001000   29.13    0.5997      5.0
51     -115.24911   0.20000
52      117.72591   7.13857  1.516330   64.14    0.5353      2.8
53      -40.99734  10.00000
54         ∞      33.00000  1.608590   46.44    0.5664      2.0
55         ∞      13.20000  1.516330   64.15    0.5352      3.0
56         ∞      13.29000
像面
非球面データ
第13面
K = 1.99852e+000  A 4= 1.15677e-006  A 6=-2.75064e-008  A 8=-3.06848e-010  A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  A11=-8.52506e-014  A13=-6.85632e-017  A15=-3.84859e-020  
第21面
K = 1.21093e+001  A 4= 2.82183e-007  A 6=-5.59441e-011  A 8=-2.00796e-014  A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  A11= 5.86871e-020  A13= 1.04584e-022  A15= 1.44467e-025  
第30面
K =-2.23400e+002  A 4= 2.77687e-007  A 6= 4.69555e-010  A 8= 1.39733e-013  A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  A11=-8.14405e-018  A13= 2.06016e-021  A15=-8.57551e-025  
各種データ
ズーム比    120.00 
広角     中間     望遠
焦点距離       8.50    70.52   1020.00  
Fナンバー      1.75     1.75     5.44  
画角          32.91     4.46     0.31  
像高           5.50     5.50     5.50  
レンズ全長   677.56   677.56   677.56  
BF            13.29    13.29    13.29  
d12            3.47   140.71   194.08  
d19          289.33   110.94     2.00  
d25            4.21    15.98     4.50  
d30            2.99    32.37    99.42  
d56           13.29    13.29    13.29  
【００８２】
＜数値実施例３＞
単位 mm
面番号      r         d        nd        vd       θgF     dn/dT
1      378.48165   5.35000  1.772499   49.60    0.5520      4.7
2      104.30474  48.15487
3     -173.47322   4.40000  1.696797   55.53    0.5434      4.2
4      671.08887   0.09299
5      254.55301  10.80583  1.805181   25.42    0.6161      1.8
6     1068.64458   6.57913
7     7885.69945  19.25204  1.433870   95.10    0.5373    -10.1
8     -182.52731   0.09864
9    -3663.98983   4.20000  1.720467   34.71    0.5834      3.9
10      247.17073  18.69132  1.496999   81.54    0.5375     -6.1
11     -364.03637  26.28305
12      690.30071  19.68226  1.433870   95.10    0.5373    -10.1
13     -214.30176   1.59065
14      167.28801   4.30000  1.755199   27.51    0.6103      2.6
15      114.35424   0.83582
16      117.62468  28.01647  1.496999   81.54    0.5375     -6.1
17    -2803.18358   0.08859
18      151.65937  14.73531  1.620411   60.29    0.5427      2.0
19      691.06916    (可変)
20*     556.45781   2.50000  1.772499   49.60    0.5520      4.7
21       43.70280   4.28305
22       64.47126   9.75889  1.808095   22.76    0.6307      0.4
23      -67.72978   1.50000  1.754999   52.32    0.5475      5.1
24       53.76655   7.53861
25      -42.51256   1.50000  1.882997   40.76    0.5667      5.2
26     -142.79643    (可変)
27  (フレアカット) 15.00000
28      112.99500   7.64436  1.592400   68.30    0.5456     -9.2
29*    -106.42637   0.09674
30      125.97027   8.85939  1.438750   94.93    0.5340     -6.6
31      -77.31383   0.49461
32      -91.08900   1.90000  1.755199   27.51    0.6103      2.6
33      622.86364   5.76098  1.438750   94.93    0.5340     -6.6
34      -94.88868    (可変)
35     1955.31277   2.00000  1.654115   39.68    0.5737      5.0
36      180.45807   0.49332
37*     135.06046   5.25584  1.696797   55.53    0.5434      4.2
38     -217.01028    (可変)
39        (絞り)    4.24016
40      -73.06197   1.40000  1.717004   47.92    0.5605      0.1
41       27.73501   1.87771
42       31.69846   8.22365  1.854780   24.80    0.6122      4.9
43      -26.99013   1.40000  1.834810   42.74    0.5648      5.3
44       76.19040   9.09715
45      -26.77521   1.40000  1.910820   35.25    0.5824      5.8
46       63.13027   7.05970  1.850250   30.05    0.5979      3.5
47      -29.32982   3.28691
48      -68.62774   1.80000  1.959060   17.47    0.6598      5.0
49       49.21043   7.54051  1.720467   34.71    0.5834      3.9
50      -36.94636  26.22566
51      223.13006   8.41971  1.516330   64.14    0.5353      2.8
52      -37.16995   0.98432
53      -73.44174   1.50000  2.003300   28.27    0.5980     10.1
54       26.53783   8.45811  1.922860   18.90    0.6495      2.8
55     1358.45792   8.77341
56      190.00280   9.87280  1.438750   94.66    0.5340     -6.2
57      -25.03765   1.50000  1.882997   40.76    0.5667      5.2
58      -65.78893   0.28000
59      100.00000   7.20000  1.438750   94.66    0.5340     -6.2
60      -44.07496  10.00000
61          ∞     63.04000  1.608590   46.44    0.5664      2.0
62          ∞      8.70000  1.516330   64.15    0.5352      3.0
63          ∞     10.00000
像面
非球面データ
第20面
K =-2.04859e+002  A 4= 6.64887e-007  A 6=-2.22325e-011  A 8=-1.47253e-013  
第29面
K =-1.67902e+000  A 4= 6.35831e-007  A 6= 1.31051e-011  A 8= 3.96102e-014  
第37面
K = 8.78418e+000  A 4=-5.94570e-007  A 6=-3.43946e-010  A 8= 7.66112e-014  
各種データ
ズーム比     20.00 
広角     中間     望遠
焦点距離      11.40    99.40   228.00  
Fナンバー      2.70     2.70     2.70  
画角          39.06     5.32     2.32  
像高           9.25     9.25     9.25  
レンズ全長   650.49   650.49   650.49  
BF            10.00    10.00    10.00  
d19            2.01    90.08   104.66  
d26          145.80    35.50     2.65  
d34            0.66     0.02    16.55  
d38            2.00    24.87    26.61  
d63           10.00    10.00    10.00  
【００８３】
＜数値実施例４＞
単位 mm
面データ
面番号      r         d        nd        vd       θgF     dn/dT
1      378.48165   5.35000  1.772499   49.60    0.5520      4.7
2      104.30474  48.15487
3     -173.47322   4.40000  1.696797   55.53    0.5434      4.2
4      671.08887   0.09299
5      254.55301  10.80583  1.805181   25.42    0.6161      1.8
6     1068.64458   6.57913
7     7885.69945  19.25204  1.433870   95.10    0.5373    -10.1
8     -182.52731   0.09864
9    -3663.98983   4.20000  1.720467   34.71    0.5834      3.9
10      247.17073  18.69132  1.496999   81.54    0.5375     -6.1
11     -364.03637  26.28305
12      690.30071  19.68226  1.433870   95.10    0.5373    -10.1
13     -214.30176   1.59065
14      167.28801   4.30000  1.755199   27.51    0.6103      2.6
15      114.35424   0.83582
16      117.62468  28.01647  1.496999   81.54    0.5375     -6.1
17    -2803.18358   0.08859
18      151.65937  14.73531  1.620411   60.29    0.5427      2.0
19      691.06916    (可変)
20*     556.45781   2.50000  1.772499   49.60    0.5520      4.7
21       43.70280   4.28305
22       64.47126   9.75889  1.808095   22.76    0.6307      0.1
23      -67.72978   1.50000  1.754999   52.32    0.5475      5.1
24       53.76655   7.53861
25      -42.51256   1.50000  1.882997   40.76    0.5667      5.2
26     -142.79643    (可変)
27      112.99500   7.64436  1.592400   68.30    0.5456     -9.2
28*    -106.42637   0.09674
29      125.97027   8.85939  1.438750   94.93    0.5340     -6.6
30      -77.31383   0.49461
31      -91.08900   1.90000  1.755199   27.51    0.6103      2.6
32      622.86364   5.76098  1.438750   94.93    0.5340     -6.6
33      -94.88868    (可変)
34     1955.31277   2.00000  1.654115   39.68    0.5737      5.0
35      180.45807   0.49332
36*     135.06046   5.25584  1.696797   55.53    0.5434      4.2
37     -217.01028    (可変)
38        (絞り)    4.36998
39      -69.32187   1.40000  1.720000   43.69    0.5699      2.1
40       32.00339   1.36623
41       30.93487   7.67181  1.788800   28.43    0.6013      5.3
42      -31.00980   1.40000  1.729157   54.68    0.5444      4.1
43       55.71959   9.27740
44      -26.77521   1.40000  1.763850   48.49    0.5589      3.5
45       24.36654   9.07813  1.671390   31.32    0.6003      3.4
46      -41.17693   7.65711
47     -154.89411   1.80000  1.959060   17.47    0.6598      5.0
48      113.27398   8.19361  1.487490   70.23    0.5300     -0.7
49      -30.94758   7.98752
50    -2068.80257   7.06052  1.516330   64.14    0.5353      2.8
51      -32.31668   0.97277
52      -40.92605   1.50000  2.050900   26.94    0.6054      5.4
53      169.31954   5.55862  1.959060   17.47    0.6598      5.0
54      -70.41645   0.18568
55      162.66763   7.99349  1.438750   94.66    0.5340     -6.2
56      -34.53590   1.50000  1.854780   24.80    0.6122      4.9
57      -65.78893   0.28000
58       61.10877   7.20000  1.487490   70.23    0.5300     -0.7
59     -110.91719  10.00000
60         ∞      33.00000  1.608590   46.44    0.5664      2.0
61         ∞      13.20000  1.516330   64.14    0.5353      3.0
62         ∞      10.00000
像面
非球面データ
第20面
K =-2.04859e+002  A 4= 6.64887e-007  A 6=-2.22325e-011  A 8=-1.47253e-013  
第28面
K =-1.67902e+000  A 4= 6.35831e-007  A 6= 1.31051e-011  A 8= 3.96102e-014  
第36面
K = 8.78418e+000  A 4=-5.94570e-007  A 6=-3.43946e-010  A 8= 7.66112e-014  
各種データ
ズーム比     28.00 
広角     中間     望遠
焦点距離       6.75    66.57   189.00  
Fナンバー      1.60     1.60     2.30  
画角          39.17     4.72     1.67  
像高           5.50     5.50     5.50  
レンズ全長   598.26   598.26   598.26  
BF            10.00    10.00    10.00  
d19            2.01    93.00   108.06  
d26          160.80    46.17     1.24  
d33            0.66     0.67    29.79  
d37            2.00    25.63    26.38  
d62           10.00    10.00    10.00  
【００８４】
＜数値実施例５＞
単位 mm
面番号      r         d        nd        vd       θgF     dn/dT
1    -2942.18811   6.00000  1.834810   42.74    0.5648      5.3
2      335.45859   1.80000
3      335.06633  23.70767  1.433870   95.10    0.5373    -10.1
4    -1057.92901   0.20000
5      525.29863  14.68252  1.433870   95.10    0.5373    -10.1
6    -2449.90453  25.25075
7      377.04224  20.53079  1.433870   95.10    0.5373    -10.1
8    -1365.49684   0.25000
9      306.95406  16.15620  1.433870   95.10    0.5373    -10.1
10     1716.23164   1.49946
11      188.24393  16.19337  1.438750   94.66    0.5340     -6.2
12      408.07756    (可変)
13*    -532.82374   2.20000  2.003300   28.27    0.5980     10.1
14       38.13165  11.72245
15      -44.54614   1.45000  1.743198   49.34    0.5531      6.6
16       72.56546   9.77415  1.892860   20.36    0.6393      1.9
17      -46.48441   1.62858
18      -41.75805   2.00000  1.882997   40.76    0.5667      5.2
19     -152.60813    (可変)
20        0.00000  30.00000
21      152.33559  11.49260  1.729157   54.68    0.5444      4.1
22*    -265.71450   6.61910
23      139.88768  13.50202  1.438750   94.66    0.5340     -6.2
24     -246.30392   0.49825
25      264.09410   2.60000  1.854780   24.80    0.6122      4.9
26       97.10593    (可変)
27       86.50601  15.38886  1.496999   81.54    0.5375     -6.1
28     -236.96933   0.50000
29      415.87662   2.50000  1.805181   25.42    0.6161      1.8
30      139.36202   7.84908  1.603112   60.64    0.5415      3.2
31*    -764.20052    (可変)
32        (絞り)    4.83283
33     -137.48989   1.40000  1.717004   47.92    0.5605      0.1
34       46.21721   0.44374
35       33.66049   4.52269  1.854780   24.80    0.6122      4.9
36       98.88257   3.01799
37     -252.81608   1.40000  1.891900   37.13    0.5780      5.6
38       78.97573    (可変)
39   -19240.92792   4.33387  1.487490   70.23    0.5300     -0.7
40      -38.41948   1.18634
41      -53.79231   1.60000  1.882997   40.76    0.5667      5.2
42       19.83504   9.34390  1.639799   34.46    0.5922      2.8
43      -49.11662    (可変)
44       97.13860   6.39440  1.516330   64.14    0.5353      2.8
45      -29.52196   0.69035
46      -57.34743   1.80000  2.001000   29.13    0.5997      5.0
47       24.44504   7.53183  1.808095   22.76    0.6307      0.4
48      -64.92800   0.59505
49     1409.95354   5.50212  1.548141   45.79    0.5686      2.0
50      -26.56416   1.80000  1.854780   24.80    0.6122      4.9
51     -123.45471   6.71153
52      -43.73629   4.87990  1.487490   70.23    0.5300     -0.7
53      -28.53682  19.64778
54          ∞     33.00000  1.608590   46.44    0.5664      2.0
55          ∞     13.20000  1.516330   64.15    0.5352      3.0
56          ∞     11.00000
像面
非球面データ
第13面
K = 1.99852e+000  A 4= 1.15677e-006  A 6=-2.75064e-008  A 8=-3.06848e-010  A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  A11=-8.52506e-014  A13=-6.85632e-017  A15=-3.84859e-020  
第22面
K = 1.21093e+001  A 4= 2.82183e-007  A 6=-5.59441e-011  A 8=-2.00796e-014  A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  A11= 5.86871e-020  A13= 1.04584e-022  A15= 1.44467e-025  
第31面
K =-2.23400e+002  A 4= 2.77687e-007  A 6= 4.69555e-010  A 8= 1.39733e-013  A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  A11=-8.14405e-018  A13= 2.06016e-021  A15=-8.57551e-025  
各種データ
ズーム比    120.00 
広角     中間     望遠
焦点距離      14.30   118.64   1715.99  
Fナンバー      2.95     2.95     9.17  
画角          21.04     2.65     0.18  
像高           5.50     5.50     5.50  
レンズ全長   696.00   696.00   696.00  
BF            11.00    11.00    11.00  
d12            3.47   140.71   194.08  
d19          259.33    80.94   -28.00  
d26            4.21    15.98     4.50  
d31            2.99    32.37    99.42  
d56           11.00    11.00    11.00  
【００８５】
＜数値実施例６＞
単位 mm
面番号      r         d        nd        vd       θgF     dn/dT
1     8902.10794   5.50000  1.834810   42.74    0.5648      5.3
2      293.03147   1.99995
3      299.65364  31.10908  1.433870   95.10    0.5373    -10.1
4     -514.32273  24.92526
5      303.46268  19.33457  1.433870   95.10    0.5373    -10.1
6     6129.82590   0.11000
7      247.80998  23.99668  1.433870   95.10    0.5373    -10.1
8    -7103.04474   1.49952
9      181.46264  14.73458  1.438750   94.66    0.5340     -6.2
10      337.17717    (可変)
11*    -189.28261   2.20000  2.003300   28.27    0.5980     10.1
12       37.39179  11.68058
13      -43.41246   1.45000  1.800000   29.84    0.6017      4.9
14       53.80711  13.13593  1.892860   20.36    0.6393      1.9
15      -37.78691    (可変)
16      -33.14955   2.00000  1.816000   46.62    0.5568      5.9
17*     -95.42316    (可変)
18      138.00593  10.59290  1.729157   54.68    0.5444      4.3
19*    -541.13392   9.75028
20      147.03615  14.32052  1.496999   81.54    0.5375     -6.1
21     -160.09082   1.72518
22      173.67525   2.60000  1.854780   24.80    0.6122      4.9
23       80.58130    (可変)
24       79.07338  13.01608  1.438750   94.66    0.5340     -6.2
25     -620.46050   2.50000  1.854780   24.80    0.6122      4.9
26      399.95751   2.38502
27*     249.93337   8.85506  1.603112   60.64    0.5415      3.2
28     -170.41073    (可変)
29        0.00000   4.64798
30     -210.17118   1.40000  1.762001   40.10    0.5765      4.0
31       32.51053   1.46838
32       32.25167   4.10760  1.854780   24.80    0.6122      4.9
33       88.14868   3.56708
34     -118.14810   1.70000  1.882997   40.76    0.5667      5.2
35     -886.06913   8.58634
36      -95.94284   1.50000  1.870700   40.73    0.5686      3.9
37       27.24766   7.04925  1.846660   23.87    0.6205      2.0
38      -79.28097   3.14883
39      -35.05122   1.50000  1.953750   32.32    0.5898      5.3
40      171.78890   7.74533  1.516330   64.14    0.5353      2.8
41      -27.74785  12.13831
42      183.33936   5.22837  1.516330   64.14    0.5353      2.8
43      -57.35707   1.39996
44     -104.46964   1.50000  2.001000   29.13    0.5997      5.0
45       28.33700   8.85815  1.805181   25.42    0.6161      1.8
46      -90.21737   0.20000
47      150.63233   7.39248  1.438750   94.66    0.5340     -6.2
48      -33.52467   1.50000  2.001000   29.13    0.5997      5.0
49      -80.89823   0.20000
50       91.59160   7.30309  1.516330   64.14    0.5353      2.8
51      -42.72106  10.00000
52          ∞     33.00000  1.608590   46.44    0.5664      2.0
53          ∞     13.20000  1.516330   64.15    0.5352      3.0
54          ∞     13.28712
像面
非球面データ
第11面
K = 0.00000e+000  A 4= 2.28615e-006  A 6=-1.38289e-009  A 8= 7.22628e-012  A10=-4.35752e-014  A12= 1.34169e-016  A14=-1.96183e-019  A16= 1.10092e-022  
第17面
K = 0.00000e+000  A 4=-1.76959e-007  A 6=-1.58573e-010  A 8= 2.80712e-013  A10=-2.98755e-017  A12=-3.73787e-018  A14= 9.74883e-021  A16=-7.35536e-024  
第19面
K = 0.00000e+000  A 4= 2.97276e-007  A 6= 2.55441e-012  A 8=-7.60558e-015  A10= 3.19715e-017  A12=-3.61423e-020  A14= 1.79078e-023  A16=-3.33963e-027  
第27面
K = 0.00000e+000  A 4=-3.10347e-007  A 6= 2.06311e-011  A 8=-2.66872e-013  A10= 9.66509e-016  A12=-3.30933e-018  A14=-2.42884e-021  A16= 2.13705e-026  
A13= 1.43782e-019  A15= 1.37717e-023  
各種データ
ズーム比    100.00 
広角     中間     望遠
焦点距離       8.20   100.00   820.00  
Fナンバー      1.75     1.75     4.30  
画角          33.85     3.15     0.38  
像高           5.50     5.50     5.50  
レンズ全長   681.63   681.63   681.63  
BF            13.29    13.29    13.29  
d10            4.14   158.05   192.85  
d15            1.71     4.89     1.49  
d17          287.83    93.94     3.22  
d23            3.91     6.06    10.25  
d28            2.99    37.63    92.77  
d54           13.29    13.29    13.29   
【００８６】
【表１】
2020085935.tif 000004
【００８７】
【表２】
2020085935.tif 000005
【００８８】
【表３】
2020085935.tif 000006
【００８９】
【表４】
2020085935.tif 000007
【００９０】
【表５】
2020085935.tif 000008
【００９１】
【表６】
2020085935.tif 000009
【００９２】
【表７】
2020085935.tif 000010
【００９３】
【表８】
2020085935.tif 000011
【００９４】
【表９】
2020085935.tif 000012
【００９５】
【表１０】
2020085935.tif 000013
【図１】
2020085935.tif 000014
【図２】
2020085935.tif 000015
【図３】
2020085935.tif 000016
【図４】
2020085935.tif 000017
【図５】
2020085935.tif 000018
【図６】
2020085935.tif 000019
【図７】
2020085935.tif 000020
【図８】
2020085935.tif 000021
【図９】
2020085935.tif 000022
【図１０】
2020085935.tif 000023
【図１１】
2020085935.tif 000024
【図１２】
2020085935.tif 000025
【図１３】
2020085935.tif 000026
【図１４】
2020085935.tif 000027
【図１５】
2020085935.tif 000028